(57)【要約】【課題】平面度の優れた壁面を形成することができるようにした外壁構造を提供することである。【解決手段】壁下地１に水平方向に長く延びる複数のジョイナ１０を上下方向に等間隔に取付け、上下一対のジョイナ１０によって複数の外壁パネル２の係合溝３が形成された上下両端部を支持する。前記ジョイナ１０に、壁下地１に取付けられるベース板部１１と、上下の外壁パネル２間に配置されて上下の外壁パネル２間に目地を形成するスペーサ部１５と、外壁パネル２の係合溝３に挿入される一対のレール板部１６と、前記ベース板部１１とスペーサ部１５間に配置される屈曲板部１２とを設け、前記屈曲板部１２の変形によりレール板部１６の直線度および上下一対のジョイナ１０におけるレール板部１６の平行度を調整できるようにして平面度の優れた壁面が得られるようにする。【選択図】  図１
2004211323.tif 000002
【特許請求の範囲】
【請求項１】
壁下地に水平方向に長く延びる複数のジョイナを上下方向に等間隔に設け、そのジョイナが、前記壁下地に取付けられる帯板状のベース板部と、そのベース板部の前面と間隔をおいて設けられた目地形成用のスペーサ部と、そのスペーサ部の上下に壁面形成用外壁パネルの上下に形成された係合溝に挿入される一対のレール板部とを有し、前記上下で対向するジョイナによって外壁パネルの上下端部を支持した外壁構造において、前記ジョイナが、押圧により変形してスペーサ部をベース板部に対してほぼ平行に移動させる屈曲板部を有していることを特徴とする外壁構造。
【請求項２】
前記屈曲板部が、ベース板部に連接された断面Ｓ字形の屈曲板部から成る請求項１に記載の外壁構造。
【請求項３】
前記屈曲板部がベース板部の前面に連設された断面Ｕ字形の屈曲板部から成り、その屈曲板部の、前記ベース板部とほぼ平行する板体部に複数のねじ挿入孔を左右方向に間隔をおいて設け、各ねじ挿入孔に挿入されたビスをベース板部に形成されたねじ孔にねじ係合した請求項１に記載の外壁構造。
【発明の詳細な説明】
【０００１】
【発明の属する技術分野】
この発明は、建築物の外壁構造に関するものである。
【０００２】
【従来の技術】
モルタル等の壁下地に外壁パネルを取付けて外壁を形成することは普通に行われている。その外壁を形成する外壁パネルとして、リサイクル資源の再生アルミと廃ガラス利用の超軽量発泡バルーンを原料とするアルセライト（商品名）と称されるリサイクル可能な外壁パネルが提案されている。
【０００３】
図５（Ｉ）、（II）は、上記外壁パネルを採用した従来の外壁構造を示している。この外壁構造においては、躯体１ａとモルタル層１ｂとから成る壁下地１の表面に水平方向に長く延びるジョイナ２０を上下方向に等間隔に取付け、その上下のジョイナ２０によって外壁パネル２の係合溝３が形成された上下端部を支持し、各外壁パネル２をエポキシ変成シリコン系弾性接着剤等の接着剤４を介して壁下地１に接着している。
【０００４】
ここで、ジョイナ２０は帯板状ベース板部２０ａの表面下部に前側に張り出すフランジ部２０ｂを連設し、そのフランジ部２０ｂの前側に連設されたスペーサ部２０ｃの上下に一対のレール板部２０ｄを連設したアルミの押出し品から成っている。
【０００５】
上記ジョイナ２０はベース板部２０ａをねじ止めあるいは釘止めによる手段により壁下地１に固定して、複数のジョイナ２０を上下方向に等間隔に取付けるようにしている。
【０００６】
複数の外壁パネル２の取付けに際しては、上下一対のジョイナ２０間の側方から外壁パネル２の上下の係合溝３にジョイナ２０のレール板部２０ｄが挿入されるようにして複数の外壁パネル２を上下一対のジョイナ２０間に順次差し込むようにしている。
【０００７】
【発明が解決しようとする課題】
ところで、図５（Ｉ）、（II）に示す従来の外壁構造においては、壁下地１の表面の仕上げが悪く、その表面が波を打っていると、壁下地１に取付けられるジョイナ２０も壁下地１の表面形状に沿うよう変形してレール板部２０ｄの直線度が悪くなり、一対のジョイナ２０で上下端部が支持される外壁パネル２０が上下方向あるいは左右方向に傾斜して多数の外壁パネル２０を同一平面上に配置することができず、面精度の優れた壁面を形成することができないという問題があった。
【０００８】
また、ジョイナ２０が長さ方向に大きく波を打っていると、上下一対のジョイナ２０間に外壁パネル２を差し込むことができない場合が生じ、この場合、壁下地１をやり直しする必要が生じ、非常に手間がかかるという問題があった。
【０００９】
この発明の課題は、ジョイナに設けられた支持レール部の直線度および平行度を簡単に調整できるようにして平面度の優れた壁面が得られるようにした外壁構造を提供することである。
【００１０】
【課題を解決するための手段】
上記の課題を解決するために、この発明においては、壁下地に水平方向に長く延びる複数のジョイナを上下方向に等間隔に設け、そのジョイナが、前記壁下地に取付けられる帯板状のベース板部と、そのベース板部の前面と間隔をおいて設けられた目地形成用のスペーサ部と、そのスペーサ部の上下に壁面形成用外壁パネルの上下に形成された係合溝に挿入される一対のレール板部とを有し、前記上下で対向するジョイナによって外壁パネルの上下端部を支持した外壁構造において、前記ジョイナに押圧により変形してスペーサ部をベース板部に対してほぼ平行に移動させる屈曲板部を設けた構成を採用したのである。
【００１１】
上記のように、ジョイナに屈曲板部を設けることにより、その屈曲板部を押圧して変形させることによって、レール板部の直線度および上下のジョイナにおける一対のレール板部の平行度を簡単に調整することができる。そのレール板部の直線度および平行度の調整によって、上下一対のジョイナ間に複数の外壁パネルを確実に、かつスムースに差し込むことができると共に、平面度の優れた壁面を形成することができる。
【００１２】
ここで、屈曲板部は断面Ｓ字形のものであってもよく、断面Ｕ字形のものであってもよい。断面Ｕ字形の屈曲板部の場合、その屈曲板部の、ベース板部とほぼ平行する板体部に複数のねじ挿入孔を設け、各ねじ挿入孔に挿入されたビスをベース板部に形成されたねじ孔にねじ係合させることにより、ビスの締付けによって屈曲板部を簡単に変形させることができる。
【００１３】
【発明の実施の形態】
以下、この発明の実施の形態を図１および図２に基づいて説明する。図示のように、壁下地１は、図３に示す壁下地１と同様に、躯体１ａとモルタル層１ｂとから成り、前記モルタル層１ｂの表面には、壁下地１の両側方向に長く延びるジョイナ１０が上下方向に等間隔に設けられ、上下で対向する一対のジョイナ１０によって複数の外壁パネル２の上下端部が支持されている。
【００１４】
外壁パネル２の上下両端部には両側面に至る係合溝３が設けられている。この外壁パネル２は取付けの安定化を図るため、エポキシ変成シリコン系弾性接着剤等の接着剤４を介して壁下地１に接着しているが、接着剤４を省略し、ジョイナ１０によってのみ上下端部を支持するようにしてもよい。
【００１５】
ジョイナ１０は、壁下地１に取付けられる帯板状のベース板部１１と、そのベース板部１１の一側縁に連設された断面Ｓ字形の屈曲板部１２と、その屈曲板部１２の側縁に連設されて前記ベース板部１１に対して前側方に位置がずれるレール支持板部１３と、そのレール支持板部１３の前面から前方に張り出すフランジ部１４と、そのフランジ部１４の前側に連設された断面コの字形のスペーサ部１５およびそのスペーサ部１５の前側上下から上方および下方に延びる上下一対のレール板部１６とを有し、前記ベース板部１１がねじ止め、あるいは釘止めによる手段を介して壁下地１に固定されている。
【００１６】
上記ジョイナ１０はアルミの押出し品から形成されて変形可能とされている。
【００１７】
実施の形態で示す外壁構造は上記の構造から成り、外壁の形成に際しては、壁下地１に対するベース板部１１の締付けによって複数のジョイナ１０を上下方向に等間隔に設け、各ジョイナ１０の取付け後、上下一対のジョイナ１０間の一側方からレール板部１６が外壁パネル２の係合溝３に挿入されるようにして上下一対のジョイナ１０間に複数の外壁パネル１０を順次挿入する。外壁パネル１０の挿入後、上下で対向する外壁パネル２間の目地１７に目地材１８を充填する。
【００１８】
上記のような外壁の形成において、ジョイナ１０が取付けられる壁下地１の表面の面精度は良いとは言えず、面精度の悪い壁下地１の場合、壁下地１に取付けられたジョイナ１０は壁下地１の表面形状に応じて変形し、レール板部１６の直線度および上下一対のジョイナ１０におけるレール板部１６の平行度が悪くなり、上下一対のジョイナ１０間に対する外壁パネル２の差し込みが困難になると共に、外壁パネル２に傾きが生じて平面度の優れた壁面を形成することができなくなる。
【００１９】
そこで、壁下地１に対するジョイナ１０の取付け後、そのジョイナ１０に設けられたレール板部１６の直線度および上下一対のジョイナ１０におけるレール板部１６の平行度を調整する。
【００２０】
レール板部１６の直線度および平行度の調整に際しては、Ｓ字形屈曲板部１２の盛り上がり部分を壁下地１に向けて押圧し、その押圧によって屈曲板部１２を変形させる。
【００２１】
上記押圧に際しては、平板状の当て金を屈曲板部１２の表面に押し当て、その当て金を金槌で叩く方法を採用することができる。
【００２２】
上記のように、屈曲板部１２を押圧により変形させることによってレール板部１６の直線度および平行度が調整され、その調整によって上下一対のジョイナ１０間に複数の外壁パネル２をスムーズに確実に差し込むことができると共に、平面度の優れた壁面を形成することができる。
【００２３】
なお、外壁パネル２を押圧することによって、その外壁パネル２を支持するジョイナ１０の屈曲板部１２を変形させることができるため、多数の外壁パネル２によって形成される壁面の平面度の調整も容易に行うことができる。
【００２４】
実施の形態では、ベース板部１１がレール支持板部１３より下側に位置するようにして壁下地１にジョイナ１０を取付けるようにしたが、ベース板部１１とレール支持板部１３を上下逆にして壁下地１にジョイナ１０を取付けるようにしてもよい。
【００２５】
図３は、ジョイナ１０の他の例を示す。この例で示すジョイナ１０は壁下地１に取付けられる帯板状のベース板部２１の前面に断面Ｓ字形の屈曲板部２２を連設し、その屈曲板部２２の前縁に一対のレール板部２４を有するスペーサ部２３を連設したアルミの押出し品から成っている。
【００２６】
上記の構成から成るジョイナ１０においても押圧によって屈曲板部２１を変形させることができるため、レール板部２４の直線度および上下一対のジョイナ１０におけるレール板部２４の平行度を容易に調整することができ、平面度の優れた壁面を形成することができる。
【００２７】
図４は、ジョイナ１０のさらに他の例を示している。この例で示すジョイナ１０は、壁下地１に取付けられる帯板状のベース板部３１の前面に断面Ｕ字形の屈曲板部３２を連設し、その屈曲板部３２の側縁に上下一対のレール板部３３を有するスペーサ部３４を連設したアルミの押出し品から成り、前記屈曲板部３２の、ベース板部３１と対向する板体部３２ａに複数のビス挿入孔３５を板体部３２ａの長さ方向に間隔をおいて設け、各ビス挿入孔３５に挿入したビス３６をベース板部３１に形成されたねじ孔３７にねじ係合している。
【００２８】
上記の構成から成るジョイナ１０においては、ビス３６を締付けることにより屈曲板部３２が変形するため、レール板部３３の直線度および平行度の調整を容易に行うことができる。
【００２９】
【発明の効果】
以上のように、この発明においては、屈曲板部を変形させる簡単な作業によって外壁パネルの上下端部を支持するレール板部の直線度および平行度を調整することができるため、上下一対のジョイナ間に複数の外壁パネルをスムーズに確実に組付けることができ、面精度の優れた壁面を形成することができる。
【図面の簡単な説明】
【図１】（Ｉ）はこの発明に係る外壁構造の実施の形態を示す縦断正面図、（II）は（Ｉ）の一部分を拡大して示す断面図
【図２】図１に示すジョイナの斜視図
【図３】ジョイナの他の例を示す断面図
【図４】ジョイナのさらに他の例を示す断面図
【図５】（Ｉ）は従来の外壁構造を示す縦断正面図、（II）は（Ｉ）の一部を拡大して示す断面図
【符号の説明】
１  壁下地
２  外壁パネル
３  係合溝
１０  ジョイナ
１１、２１、３１  ベース板部
１２、２２、３２  屈曲板部
１５、２３、３４  スペーサ部
１６、２４、３３  レール板部
３２ａ  板体部
３５  ビス挿入孔
３６  ビス
３７  ねじ孔
【図１】
2004211323.tif 000003
【図２】
2004211323.tif 000004
【図３】
2004211323.tif 000005
【図４】
2004211323.tif 000006
【図５】
2004211323.tif 000007